(57)【要約】【課題】  子供が学校や家や塾など安全なエリア外に出てしまい、しかも、友達や親など信頼できる人が近くにいない状態になると不安である。【解決手段】  自動通報するシステムは、複数の携帯電話機１ａ、１ｂ、…、１ｎからなる携帯電話機群Ａと、基地局２と、自動通報装置Ｂと、自動通報を受ける通報受信装置８と、を有している。自動通報装置Ｂは、例えば、警備保障会社などのセンターに設置された装置であり、以下のような複数の装置を含んでいる。すなわち、自動通報装置Ｂは、位置取得装置３と、安全エリア管理装置４と、電話番号関係管理装置５と、条件判別装置６と、通報装置７と、を含んでいる。携帯電話機１ａ、１ｂ、…、１ｎは、無線回線によって基地局２と接続されている。そして、基地局２には、位置情報取得装置３が接続されている。基地局２は、移動電話事業者の基地局である。【選択図】  図１Ａ
2008234314.tif 000002
【特許請求の範囲】
【請求項１】
自動的に携帯電話の位置情報と電話番号とを取得する位置情報取得装置と、安全エリアを管理する安全エリア管理装置と、電話番号の関連を管理する電話番号関係管理装置と、通報条件を管理する通報条件管理装置と、通報条件によって登録された通報先に通報する通報装置と、を有する自動通報システムであって、
前記位置情報取得装置は、
携帯電話の基地局から電話番号と位置情報とを取得する位置情報取得部と、電話番号と位置情報との対応関係を示す電話番号−位置情報テーブルと、該電話番号−位置情報テーブルを更新する電話番号−位置情報テーブル更新部と、該電話番号−位置情報テーブルにおいて電話番号から位置情報を検索する検索処理部と、を有しており、
前記安全エリア管理装置は、
地域情報テーブルと、通報対象者の電話番号と安全エリアの関係を示す通報対象者の電話番号−安全エリアテーブルと、前記地域情報テーブルと前記通報対象者の電話番号−安全エリアテーブルを更新する地域情報テーブル／通報対象者の電話番号−安全エリアテーブル更新部と、地域情報テーブルと通報対象者の電話番号−安全エリアテーブルとを検索する検索処理部と、を有しており、
前記電話番号関係管理装置は、
通報対象者の電話番号と該通報対象者の関係者の電話番号との関係を示す通報対象者の電話番号−関係者の電話番号関係テーブルと、通報対象者の電話番号−関係者の電話番号関係テーブルを更新する更新部と、通報対象者の電話番号−関係者の電話番号関係テーブルを検索する検索部と、を有しており、
前記通報条件管理装置は、
通報対象者の電話番号と通報条件との関係を示す通報対象者の電話番号−通報条件関係テーブルと、通報対象者の電話番号と通報条件の関係テーブルを更新する更新部と、通報対象者の電話番号−通報条件関係テーブルを検索する検索部と、を有しており、
前記位置情報取得装置と、前記安全エリア管理装置と、前記通報条件管理装置とのそれぞれによる、前記位置情報取得の可否の判断と、前記安全エリア内であるか否かの判断と、関係者が通報対象者の近くにいるか否かの判断と、のいずれかの判断結果が否である場合に、前記電話番号関係管理装置の検索結果を参照して、前記通報先に対して自動的に通報することを特徴とする自動通報システム。
【発明の詳細な説明】
【技術分野】
【０００１】
本発明は、携帯電話を所持する子供が、指定された安全エリア外で１人になっている場合に自動通報する自動通報システムに関する。
【背景技術】
【０００２】
今までに、種々のセキュリティシステムが提案されている。例えば、下記の特許文献１に記載の技術では、ワイヤレス自動通報装置とワイヤレス接続される複数のワイヤレス発信器と、を備えたセキュリティシステムであって、いずれかのワイヤレス発信器から発信されたセキュリティ信号をワイヤレス自動通報装置が受信すると、ワイヤレス自動通報装置に予め設定された通報先を自動発呼して、記憶したメッセージ内容を通報先へ通報する構成になっている。
【０００３】
また、下記特許文献２に記載の技術は、必要な時に所有する発信器に対して所定の操作を行うと、発信器が、各発信器毎に固有の識別データを含む非常信号をセンターへ発信し、非常信号を受けたセンターは、識別データに基づいて発信器の所在地を探知するとともに、利用者の保護者・関係者に対して、利用者の発信器から非常信号が発信された旨を送信するものである。
【０００４】
【特許文献１】特開平６−２５３０４２号公報
【特許文献２】特開２００３−１１５０９０号公報
【発明の開示】
【発明が解決しようとする課題】
【０００５】
子供は、学校や塾など、親の目の届かない場所に移動することも多い。そのような時に、安全と思われる学校や塾のあるエリアから、友達や知り合いが一緒でない状態で移動してしまった場合に、子供が事件に巻き込まれるケースもある。このような場合に、上記の特許文献１、２のように、通報者、すなわち子供の方から能動的に緊急信号などを発信することは難しい場合が多い。
【０００６】
本発明の目的は、子供が１人になってしまった場合でも、事件や事故に巻き込まれてしまうことを未然に防ぐ自動通報システムを提供することにある。
【課題を解決するための手段】
【０００７】
本発明によれば、自動的に携帯電話の位置情報と電話番号とを取得する位置情報取得装置と、安全エリアを管理する安全エリア管理装置と、電話番号の関連を管理する電話番号関係管理装置と、通報条件を管理する通報条件管理装置と、通報条件によって登録された通報先に通報する通報装置と、を有する自動通報システムであって、前記位置情報取得装置は、携帯電話の基地局から電話番号と位置情報とを取得する位置情報取得部と、電話番号と位置情報との対応関係を示す電話番号−位置情報テーブルと、該電話番号−位置情報テーブルを更新する電話番号−位置情報テーブル更新部と、該電話番号−位置情報テーブルにおいて電話番号から位置情報を検索する検索処理部と、を有しており、前記安全エリア管理装置は、地域情報テーブルと、通報対象者の電話番号と安全エリアの関係を示す通報対象者の電話番号−安全エリアテーブルと、前記地域情報テーブルと前記通報対象者の電話番号−安全エリアテーブルを更新する地域情報テーブル／通報対象者の電話番号−安全エリアテーブル更新部と、地域情報テーブルと通報対象者の電話番号−安全エリアテーブルとを検索する検索処理部と、を有しており、前記電話番号関係管理装置は、通報対象者の電話番号と該通報対象者の関係者の電話番号との関係を示す通報対象者の電話番号−関係者の電話番号関係テーブルと、通報対象者の電話番号−関係者の電話番号関係テーブルを更新する更新部と、通報対象者の電話番号−関係者の電話番号関係テーブルを検索する検索部と、を有しており、前記通報条件管理装置は、通報対象者の電話番号と通報条件との関係を示す通報対象者の電話番号−通報条件関係テーブルと、通報対象者の電話番号と通報条件の関係テーブルを更新する更新部と、通報対象者の電話番号−通報条件関係テーブルを検索する検索部と、を有しており、前記位置情報取得装置と、前記安全エリア管理装置と、前記通報条件管理装置とのそれぞれによる、前記位置情報取得の可否の判断と、前記安全エリア内であるか否かの判断と、関係者が通報対象者の近くにいるか否かの判断と、のいずれかの判断結果が否である場合に、前記電話番号関係管理装置の検索結果を参照して、前記通報先に対して自動的に通報することを特徴とする自動通報システムが提供される。
【発明の効果】
【０００８】
本発明の自動通報するシステムによれば、次のような効果がある。
（１）子供が、電波が届かないエリア（通話エリア外）に出てしまった場合に、自動的に通報される。
（２）安全なエリアから出てしまった場合に、自動的に通報される。
（３）友達や親や信頼できる人からはぐれてしまった場合に、自動的に通報される。
【発明を実施するための最良の形態】
【０００９】
子供など安全を確認したい者を通報対象者と称し、自動的に通報する相手を関係者と称し、子供などと一緒にいることが望まれる携帯電話機を通報先と称する。
【００１０】
以下、本発明の一実施の形態による自動通報システムについて図面を参照しながら説明を行う。
【００１１】
図１Ａは、本発明の一実施の形態による自動通報システムの一構成例を示す機能ブロック図であり、図１Ｂは、システムの概略構成例を示す機能ブロック図である。図１Ａ、図１Ｂに示す自動通報するシステムは、複数の携帯電話機１ａ、１ｂ、…、１ｎからなる携帯電話機群Ａと、基地局２と、自動通報装置Ｂと、自動通報を受ける通報受信装置８と、を有している。自動通報装置Ｂは、例えば、警備保障会社などのセンターに設置された装置であり、以下のような複数の装置を含んでいる。すなわち、自動通報装置Ｂは、位置情報取得装置３と、安全エリア管理装置４と、電話番号関係管理装置５と、条件判別装置６と、通報装置７と、を含んでいる。
【００１２】
携帯電話機１ａ、１ｂ、…、１ｎは、無線回線によって基地局２と接続されている。そして、基地局２には、位置情報取得装置３が接続されている。基地局２は、移動電話事業者の基地局である。
【００１３】
まず、通報の準備として、安全エリア管理装置４の地域情報テーブル４−４に地域情報を登録する。地域情報は、図２に示すように、その地域を絶対的に特定することができる経度・緯度２１と、地名２２と、電話局番２３などの基本地域情報２７と、登録/更新年月日２４と地域などの区分２５と、その他のデータ２６などで構成されている。また、位置情報取得装置３の電話番号−位置情報対応テーブル３−４を作成する。電話番号−位置情報対応テーブル３−４は、図３に示すように、子供の電話番号３１、子供の名前３２、経度・緯度情報３３、の基本情報３７と、登録／更新年月日３４と、電話番号に対応する位置の区分３５と、それに関連するデータ３６と、を有している。
【００１４】
次いで、子供の電話番号と安全エリアとの関係を示す電話番号−安全エリア対応テーブル４−３の内容を登録する。子供の電話番号−安全エリア対応テーブル４−３の内容、図４に示すように、子供の電話番号４１、経度・緯度情報４２、学校などの属性４３を含む安全エリアの基本情報４７と、登録／変更年月日４４と安全エリアの区分４５、安全エリアに関するデータ４６などを含んでいる。
【００１５】
次に、子供の電話番号と友達や先生や信頼できる人の電話番号の関係を示す子供の電話番号−通報先電話番号対応テーブル５−３を登録する。子供の電話番号と友達や先生や信頼できる人の電話番号の関係は、図５に示すように、子供の電話番号５１と、通報対象者の名前５２と、通報対象者の電話番号５３という信頼できる人の基本情報５７に加えて、登録/変更年月日５４と、友人、親などの両者の関係を示す区分５５と、親などのデータとで構成される。
【００１６】
さらに、子供の電話番号と通報条件の関係６−５を登録する。子供の電話番号−通報条件対応テーブル６−５は、図６に示すように、通報条件番号６１と、子供の電話番号６２と、通報条件番号６１に対応する通報条件６３、通報条件（２）６４などのどのような条件になると通報するかに関する通報条件と、を含む基本情報６８に加えて、登録／変更年月日６５と通報条件の区分６６、通報条件に関するデータ６７などを含んで構成される。
【００１７】
最後に、子供の電話番号と通報先との関係を示す子供の電話番号−通報先対応テーブル７−４を登録する。子供の電話番号−通報先対応テーブル７−４は、図７に示すように、通報条件番号７１と、子供の電話番号７２と、通報先の電話番号等７３を含む通報先の基本情報７７に加えて、登録/変更年月日７４と通報先区分７５、通報先データ７６などを含んで構成される。上記テーブルは、下記のように、データベースＤＢに含まれる。
【００１８】
位置情報取得装置３は、位置情報取得部３−１とＤＢ更新部３−２と、ＤＢを検索する検索処理部３−３と、を備え、電話番号−位置関係テーブルを含むＤＢと関連付けされている。  
安全エリア管理装置４は、ＤＢ更新部４−１と、検索処理部４−２と、を備え、子供の電話番号−安全エリア対応テーブル４−３と、地域情報テーブル４−４と、のそれぞれを含むＤＢと関連付けされている。電話番号関係管理装置５は、ＤＢ更新部５−１、検索処理部５−２と、を備え、子供の電話番号−通報先電話番号対応テーブル５−３を含むＤＢと関連付けされている。
【００１９】
条件判別装置６は、条件処理部６−１、ＤＢ更新部６−２、検索処理部６−３、通報指示部６−４を備え、子供の電話番号−通報条件対応テーブル６−５と関連付けされている。通報装置７は、ＤＢ更新部７−１、検索処理部７−２、通報処理部７−３、を備え、子供の電話番号−通報先対応テーブル７−４を含むＤＢと関連付けされている。
【００２０】
次に、上記システムを用い、通報対象となる子供の電話番号が、条件によって検知/通報されるまでの流れについて図８を参照しながら説明する。通報条件判別処理(ステップ８−１)においては、基地局が携帯電話の位置を取得し(ステップ８−２)、通報対象か否かをチェックする(ステップ８−３)。ステップ８−３のチェックでは、通報対象の電話番号か否かを図４に示す子供の電話番号−安全エリア対応テーブル４−３における登録情報から取得する。図４の情報から、通報対象の電話番号では無いと判定された場合は、ステップ８−３のチェック結果はＮｏとなり、ステップ８−１に戻り、監視が継続される。
【００２１】
図４の情報から通報対象の電話番号であると判定された場合には、ステップ８−３でＹｅｓとなり、例えば、ＧＰＳや近傍の基地局の位置から現在の携帯電話の位置情報を取得(ステップ８−４)するための処理を行い、位置情報が取得できた否か(ステップ８−５)の判定をする。この判定においてＮｏであれば、通報条件のチェック処理(ステップ８−１１)に移行する。
【００２２】
一方、ステップ８−５の処理においてＹｅｓであれば、安全エリア情報の取得処理(ステップ８−６)を行い、図４の情報を照会して安全エリア内であるか否かをチェックする(ステップ８−７)。ステップ８−７のチェック処理においてＮｏになるケースの構成例について図１０を参照しながら説明する。
【００２３】
図１０に示すように、安全エリアとして基地局１０ｂのカバーするエリア（破線で示される円形領域）、すなわち、基地局１０ｂを登録している場合に、携帯電話機１０ａは安全エリア外に存在することとなり、図８のステップ８−７の安全エリア内であるか否かに関するチェック結果はＮｏとなる。Ｎｏであれば、通報条件のチェック処理（ステップ８−１１）に移行する。ステップ８−７でＹｅｓであれば、関連する友達、親の電話番号の位置情報を取得(ステップ８−８)し、友達、親などが近くにいるか(ステップ８−９)をチェックする。ステップ８−９のチェックで、Ｎｏになるケースの一例を図１１に示す。図１１に示すように、基地局１１ｄ、基地局１１ｅが安全エリアとして図４に示すように登録されており、図５に示すように、携帯電話機１１ｂ、携帯電話機１１ｃが友達の携帯電話機、親の携帯電話機として登録されているが、子供の携帯電話機１ａの存在する基地局１１ｄのカバーエリアとは異なるエリアにこれらの全ての携帯電話機１１ｂ・１１ｃが存在する場合には、携帯電話機１１ａの所持者にとっては周囲に信頼できる人がいない状態と判断することができる。そこで、ステップ８−９のチェック結果はＮｏとなる。ステップ８−９がＮｏの場合、通報条件のチェック(ステップ８−１１)に移行し、Ｙｅｓであればステップ８−１に戻る。
【００２４】
通報条件か否かに関するステップ８−１１のチェックにおいては、図６の情報から、Ｙｅｓで通報条件を満たすならば、通報(ステップ８−１０)ステップに移行し、Ｎｏであればステップ８−１に戻る。ステップ８−１０においては、図７に示すテーブルの情報を参照して通報先７３に対して通報を行う。
【００２５】
以上に示すように通報が行われた履歴に関しては、図９に示すようなログとして記録されても良く、このようなログは、事後の確認の際に利用することができる。
【００２６】
図８に関してまとめると、位置情報取得の可否に関するステップ８−５、安全エリア内であるか否かに関するステップ８−７、親や友達などが近くにいるか否かの判断に関するステップ８−９のいずれかの結果が、Ｎｏで有る場合に通報条件判定ステップを経て対象に通報を行うことで、子供の安全性を確保できる。
【００２７】
尚、本実施の形態において説明した上記の機能は、ソフトウェアプログラムによっても実現できる。この場合、プログラムコードを記録した記憶媒体をシステム或は装置に提供し、そのシステム或は装置のコンピュータ（又はＣＰＵやＭＰＵ）が記憶媒体に格納されたプログラムコードを読み出すことができるようにすれば良い。この場合、記憶媒体から読み出されたプログラムコード自体が前述した実施の形態による機能を実現することになり、そのプログラムコード自体及びそれを記憶した記憶媒体は本発明によるシステムを構成することになる。このようなプログラムコードを供給するための記憶媒体としては、例えば、フロッピィ（登録商標）ディスク、ＣＤ−ＲＯＭ、ＤＶＤ−ＲＯＭ、ハードディスク、光ディスク、光磁気ディスク、ＣＤ−Ｒ、磁気テープ、不揮発性のメモリカード、ＲＯＭなどが用いられる。
【００２８】
また、プログラムコードの指示に基づき、コンピュータ上で稼動しているＯＳ（オペレーティングシステム）などが実際の処理の一部又は全部を行い、その処理によって前述した実施の形態の機能が実現されるようにしてもよい。さらに、記憶媒体から読み出されたプログラムコードが、コンピュータ上のメモリに書きこまれた後、そのプログラムコードの指示に基づき、コンピュータのＣＰＵなどが実際の処理の一部又は全部を行い、その処理によって前述した実施の形態の機能が実現されるようにしてもよい。
【００２９】
また、実施の形態の機能を実現するソフトウェアのプログラムコードがネットワークを介して配信されることにより、システム又は装置のハードディスクやメモリ等の記憶手段又はＣＤ-ＲＷ、ＣＤ-Ｒ等の記憶媒体に格納され、そのシステム又は装置のコンピュータ(又はＣＰＵやＭＰＵ)が当該記憶手段や当該記憶媒体に格納されたプログラムコードを読み出して実行することによっても、達成されるようにしてもよい。
【００３０】
（まとめ）
本実施の形態による自動通報システムは、以下のような利点を有する。
（１）子供が、電波が届かないエリア（通話エリア外）に出てしまった場合に、自動的に通報される。
（２）安全なエリアから出てしまった場合に、自動的に通報される。
（３）友達や親や信頼できる人からはぐれてしまった場合に、自動的に通報される。
【産業上の利用可能性】
【００３１】
本発明は、自動通報システムに利用可能である。
【図面の簡単な説明】
【００３２】
【図１Ａ】本発明の一実施の形態例を示すシステム構成図である。
【図１Ｂ】子供が1人になったら自動通報するシステムの概要図である。
【図２】地域情報テーブルのデータの構成図である。
【図３】位置情報テーブルのデータの構成図である。
【図４】安全エリアテーブルのデータの構成図である。
【図５】友達、親、信頼できる人の関連テーブルのデータの構成図である。
【図６】通報条件テーブルのデータの構成図である。
【図７】通報先テーブルのデータの構成図である。
【図８】子供が1人になったら自動通報するシステムの具体例の説明図である。
【図９】通報の履歴を示すログの構成図である。
【図１０】８−７のチェックでNoになるケース例の説明図である。
【図１１】８−９のチェックでNoになるケース例の説明図である。
【符号の説明】
【００３３】
１ａ，１ｂ，１ｎ…携帯電話端末、２…基地局、３…位置情報システム、４…安全エリア管理システム、５…電話番号関係管理システム、６…条件判別システム、７…通報システム、８…通報受信装置。
【図１Ａ】
2008234314.tif 000003
【図１Ｂ】
2008234314.tif 000004
【図２】
2008234314.tif 000005
【図３】
2008234314.tif 000006
【図４】
2008234314.tif 000007
【図５】
2008234314.tif 000008
【図６】
2008234314.tif 000009
【図７】
2008234314.tif 000010
【図８】
2008234314.tif 000011
【図９】
2008234314.tif 000012
【図１０】
2008234314.tif 000013
【図１１】
2008234314.tif 000014